(57)【要約】      （修正有）【課題】プロジェクタでネットワーク投影するコンピュータの切替作業の時間を短縮する。【解決手段】入力される投影画像を投影する投影制御部１０３と、第１のコンピュータから出力される投影画像を投影制御部に入力している状態で、第２のコンピュータから接続要求を受けた場合に、投影画像を出力している第１のコンピュータへ、画像投影接続の切り替えの可否判断を要求する接続要求部１１１と、第１のコンピュータが切り替えを承認した場合に第２のコンピュータから出力される画像を取得する画像データ取得部１１３と、第１のコンピュータが切り替えを承認した場合に投影制御部１０３に入力する投影画像を第１のコンピュータから出力される投影画像から、第２のコンピュータから出力される投影画像へと切り替える画像処理部１０２と、を有する。【選択図】図２
2017009745.tif 000002
【特許請求の範囲】
【請求項１】
複数のコンピュータとネットワークを通じて接続するプロジェクタであって、
入力される投影画像を投影する投影制御部と、
第１のコンピュータから出力される投影画像を前記投影制御部に入力している状態で、第２のコンピュータから接続要求を受けた場合に、投影画像を出力している前記第１のコンピュータへ、画像投影接続の切り替えの可否判断を要求する接続要求部と、
前記第１のコンピュータが前記切り替えを承認した場合に前記第２のコンピュータから出力される画像を取得する画像データ取得部と、
前記第１のコンピュータが前記切り替えを承認した場合に前記投影制御部に入力する投影画像を前記第１のコンピュータから出力される投影画像から、前記第２のコンピュータから出力される投影画像へと切り替える画像処理部と、
を有することを特徴とする、プロジェクタ。
【請求項２】
前記第１のコンピュータが前記切り替えを承認した場合に前記第１のコンピュータに画像投影接続の切断を要求する切断要求部を有することを特徴とする、請求項１に記載のプロジェクタ。
【請求項３】
前記接続要求部は、前記第１のコンピュータが前記切り替えを拒否した場合に前記第２のコンピュータに画像投影接続の接続要求が拒否された旨を通知することを特徴とする、請求項１又は２に記載のプロジェクタ。
【請求項４】
遠隔操作手段と、
前記遠隔操作手段からアドレス通知要求を受けるとプロジェクタのネットワーク上のアドレスを通知させる処理を中央制御部と、
を有することを特徴とする、請求項１から３のいずれか１項に記載のプロジェクタ。
【請求項５】
前記中央制御部による通知させる処理を投影画像に前記アドレスを重畳させて表示して実行する投影制御部を有することを特徴とする、請求項４に記載のプロジェクタ。
【請求項６】
複数のコンピュータとネットワークを通じて接続するプロジェクタを、
入力される投影画像を投影する投影制御部と、
第１のコンピュータから出力される投影画像を前記投影制御部に入力している状態で、第２のコンピュータから接続要求を受けた場合に、投影画像を出力している前記第１のコンピュータへ、画像投影接続の切り替えの可否判断を要求する接続要求部と、
前記第１のコンピュータが前記切り替えを承認した場合に前記第２のコンピュータから出力される画像を取得する画像データ取得部と、
前記第１のコンピュータが前記切り替えを承認した場合に前記投影制御部に入力する投影画像を前記第１のコンピュータから出力される投影画像から、前記第２のコンピュータから出力される投影画像へと切り替える画像処理部として
機能させることを特徴とする、プロジェクタのプログラム。
【請求項７】
複数のコンピュータとプロジェクタとがネットワークを通じて接続するプロジェクタシステムであって、
前記複数のコンピュータに含まれる第１のコンピュータは、投影画像を出力し、
前記プロジェクタは、前記投影画像を入力している状態で、第２のコンピュータから接続要求を受けた場合に、投影画像を出力している前記第１のコンピュータへ、画像投影接続の切り替えの可否判断を要求する接続要求部を有し、
前記第１のコンピュータは、前記切り替えの可否判断の要求を受けて、その旨をユーザに通知することを特徴とする、プロジェクタシステム。
【発明の詳細な説明】
【技術分野】
【０００１】
本発明は、プロジェクタ、そのプログラム及びプロジェクタシステムに関し、特に、コンピュータから投影画像を入力されるプロジェクタに関する。
【背景技術】
【０００２】
一般に、プロジェクタを用いた会議では、複数人がプロジェクタ接続可能なコンピュータ（ノートパソコン、スマートフォン、タブレット端末等）を使用し、自身のコンピュータのディスプレイに表示された画像をプロジェクタを用いて投影する。接続形態として、例えば特許文献１には、プロジェクタとＰＣとを汎用インターフェースであるＵＳＢで接続し、ＵＳＢ経由でＰＣからプロジェクタへ画像を転送する技術が開示されている。
【０００３】
また特許文献１で開示された技術以外にも、プロジェクタとコンピュータとをネットワークを介して接続し、ネットワーク経由でコンピュータからプロジェクタへ画像を転送する技術やネットワーク投影ソフトウェアが既に知られている。ここでは、ネットワーク投影技術やネットワーク投影ソフトウェアのことをまとめて“プロジェクタシステム”と呼ぶ。
【０００４】
特に、ケーブルを必要としないネットワーク接続（無線接続）は、ユーザがプロジェクタ付近に移動する必要が無いため大人数での会議に向いている。このことから近年のビジネス向けプロジェクタではこの“ネットワーク接続機能”が多くの機種に搭載されるようになった。ネットワークで構成された従来のプロジェクタシステムは、例えばＰＣ上の画面の内容をネットワーク投影ソフトウェアによりキャプチャし、キャプチャされたそのキャプチャ画像データをネットワークを介してプロジェクタに送信することにより、ＰＣ上に表示されている画面をプロジェクタで投写表示することが可能となっている。このように、ネットワーク接続可能なコンピュータのディスプレイに表示された画像をプロジェクタにて投影する場合、まずプロジェクタとコンピュータとの間において、相互通信可能な接続を確立させる必要がある。
【０００５】
多くの場合、この接続の確立はＴＣＰ／ＩＰの通信プロトコルによって行われる。このとき、コンピュータの利用者は、プロジェクタのＩＰアドレスを確認するとともに、コンピュータにそのＩＰアドレスを設定する。同時に、プロジェクタにコンピュータのＩＰアドレスを設定する。
【０００６】
このコンピュータおよびプロジェクタに対する相互のＩＰアドレスの設定作業を経ることによって、プロジェクタと、コンピュータとは、ＴＣＰ／ＩＰの通信手順に基づいて相互通信可能となる。そして、コンピュータからプロジェクタに対して画像データを出力し、プロジェクタは、この画像データを入力するとともに、当該画像データに基づいた画像を投影表示する。
【０００７】
しかし、今までのプロジェクタシステムは、ネットワーク投影中のユーザＡが居た場合、別のユーザＢがネットワーク投影を行いたいと思っても、プロジェクタがネットワーク投影状態にあるとプロジェクタのＩＰアドレスを確認することができないため、投影中のユーザＡにＩＰアドレスを聞く、もしくはＩＰアドレス表示画面を映してもらう必要があるという問題があった。
【０００８】
また、ソフトウェアの作り（メーカー、機種の違い）によって異なることではあるが、ネットワーク投影中のユーザＡが居る状態で別のユーザＢがネットワーク接続要求を行った場合（何らかの手段でプロジェクタのＩＰアドレスを知ったとして）、ネットワーク投影中のユーザＡの接続を切って、後からネットワーク接続要求を行ったユーザＢの投影を行うプロジェクタシステムも存在するが、多くの場合、会議に参加していない別の部屋のユーザＣが間違って接続してしまうことを避けるために、後からネットワーク接続要求を行ったユーザＢのネットワーク接続要求が拒否されるという問題があった。そのためプロジェクタを用いた会議では、ネットワーク投影するユーザが変わる度に、現在ネットワーク投影しているユーザＡのネットワーク接続を遮断し、プロジェクタをネットワーク受付状態にしてから別のユーザＢがネットワーク接続する必要があったため、会議が円滑に進められないという問題があった。
【発明の概要】
【発明が解決しようとする課題】
【０００９】
特許文献２には、プロジェクタでネットワーク投影するための準備作業を低減する目的で、自身のＩＰアドレスが変更されると、変更されたＩＰアドレスである変更ＩＰアドレスを用いて画像転送ソフトウェアを実行するための実行ファイルを作成し、端末装置からの要求に応じて、実行ファイルを配信することが開示されている。端末装置は、配信された実行ファイルを実行すると、変更ＩＰアドレスに基づいて自動的にプロジェクタとの接続を確立し、端末装置からプロジェクタへの画像転送を開始する。
【００１０】
しかしながら、ネットワーク投影中のユーザＡが居た場合、別のユーザＢがネットワーク投影を行いたいと思っても、プロジェクタがネットワーク投影状態にあるとプロジェクタのＩＰアドレスを確認することができないため、投影中のユーザＡにＩＰアドレスを聞く、もしくはＩＰアドレス表示画面を映してもらう必要があるという問題、また、後からネットワーク接続要求を行ったユーザＢのネットワーク接続要求が拒否されるという問題、また、プロジェクタを用いた会議では、ネットワーク投影するユーザが変わる度に、現在ネットワーク投影しているユーザＡのネットワーク接続を遮断し、プロジェクタをネットワーク受付状態にしてから別のユーザＢがネットワーク接続する必要があったため、会議が円滑に進められないという問題は解消できていない。
【００１１】
本発明は、上記実情に鑑みてなされたものであって、プロジェクタでネットワーク投影するコンピュータの切替作業の時間を短縮することを目的とする。
【課題を解決するための手段】
【００１２】
上記目的を達成するために本発明は、複数のコンピュータとネットワークを通じて接続するプロジェクタであって、入力される投影画像を投影する投影制御部と、第１のコンピュータから出力される投影画像を前記投影制御部に入力している状態で、第２のコンピュータから接続要求を受けた場合に、投影画像を出力している前記第１のコンピュータへ、画像投影接続の切り替えの可否判断を要求する接続要求部と、前記第１のコンピュータが前記切り替えを承認した場合に前記第２のコンピュータから出力される画像を取得する画像データ取得部と、前記第１のコンピュータが前記切り替えを承認した場合に前記投影制御部に入力する投影画像を前記第１のコンピュータから出力される投影画像から、前記第２のコンピュータから出力される投影画像へと切り替える画像処理部と、を有することを特徴とする。
【発明の効果】
【００１３】
本発明によれば、プロジェクタでネットワーク投影するコンピュータの切替作業の時間を短縮することが可能となる。
【図面の簡単な説明】
【００１４】
【図１】本実施形態のプロジェクタシステムの構成を示す図である。
【図２】図１のプロジェクタ１００の構成を示すブロック図である。
【図３】本実施形態のプロジェクタシステムのシーケンス図（その１）である。
【図４】本実施形態のプロジェクタシステムのシーケンス図（その２）である。
【図５】図１のコンピュータ２０ａが表示するＵＩ画面例（その１）である。
【図６】図１のコンピュータ２０ａが表示するＵＩ画面例（その２）である。
【図７】図１のコンピュータ２０ａが表示するＵＩ画面例（その３）である。
【図８】図１のプロジェクタ１００がＩＰアドレスを通知する一態様を示す図である。
【図９】図１のプロジェクタ１００がＩＰアドレスを通知する一態様を示す図である。
【発明を実施するための形態】
【００１５】
本発明の実施の形態を説明する。以下の開示は、ネットワーク投影ソフトウェアを用いたプロジェクタシステムに際して、以下の特徴を有する。
要するに、プロジェクタを用いた会議では、発言者または報告者に応じて、プロジェクタで投影するコンピュータを切り替えることが特徴となっている。その投影コンピュータ切替作業の時間を短縮することができれば会議を円滑に進めることができる。プロジェクタがネットワーク投影状態であっても、別のユーザはＩＰアドレスを得ることができる。ネットワーク投影状態のプロジェクタに対して別のユーザがネットワーク接続要求を行った場合、現在投影中のユーザが持つコンピュータに、「画面を切り替えて良いのか」の判断を要求することができる。
上記記載の本発明の特徴について、以下、図面を用いて詳細に解説する。
【００１６】
図１に、本実施形態に係るプロジェクタシステムの構成図を示す。
図示のように、本システムはプロジェクタ１００、コンピュータ２０ａ、コンピュータ２０ｂ、リモコン１３２を含む。コンピュータ２０ａと２０ｂには、それぞれネットワーク投影ソフトウェアがインストールされているものとする。
【００１７】
プロジェクタ１００とコンピュータ２０ａ及びコンピュータ２０ｂでは、ネットワーク投影ソフトウェアの実行により、無線ＬＡＮ（ローカル・エリア・ネットワーク）による双方向通信が行われる。ここでは、接続の確立はＴＣＰ／ＩＰの通信プロトコルによって行われるものとする。また、リモコン１３２からプロジェクタ１００へ、片方向通信により、ユーザはＩＰアドレス表示要求をはじめとする各コマンドを送信することができる。
【００１８】
図２に、プロジェクタ１００の構成を示す。
図示のように、プロジェクタ１００は、中央制御部１０１、画像処理部１０２、投影制御部１０３、赤外線通信部１０４、通信部１１０、記憶部１２０、操作部１３０、投影光学系１４０を備える構成である。
【００１９】
中央制御部１０１は、プロジェクタ１００の全体を統括制御する。操作部１３０は、ユーザが各種設定および操作を行うためのものであり、プロジェクタ１００本体に備えられた操作キー１３１（操作パネルでもよい）やリモコン１３２により実現される。赤外線通信部１０４は、リモコン１３２から送信されるデータを受信するものである。
【００２０】
通信部１１０は、ネットワークに接続された自装置以外の装置と通信を行うものであり、接続要求部１１１、切断要求部１１２、画像データ取得部１１３を有している。接続要求部１１１は、ネットワークに接続された自装置以外の装置に対して接続要求を行う。切断要求部１１２は、ネットワークに接続された自装置以外の装置に対して接続切断要求を行う。画像データ取得部１１３は、ネットワークで接続されたコンピュータから出力されるキャプチャ画像データを取得する。
【００２１】
なお、接続要求とは、特に断りがない限り、ネットワークを介した画像の投影を行うストリーム（以下、単に、投影画像と呼ぶ場合がある）の接続要求である。ネットワークにはプロジェクタ１００や各コンピュータは接続済みで周知の方法でＩＰアドレスも割り振られている。
【００２２】
画像処理部１０２は、画像データ取得部１１３により受信した画像データに対し、予め記憶されている画像処理プログラムに基づいて、所定の画像処理を実行する。所定の画像処理としては、例えば画質調整処理、画像サイズ調整処理等がある。
【００２３】
また、画像処理部１０２は、投影制御部１０３に入力する投影画像のストリームを選択する機能も備える。中央制御部１０１の指示に従い、例えば、コンピュータ２０ａから出力されている投影画像ストリームを、コンピュータ２０ｂから出力されている投影画像ストリームに切り替える処理を行う。
【００２４】
投影制御部１０３は、画像処理部１０２により処理された画像を、後述する投影光学系１４０に対応する画像データを生成し、当該画像データに基づいて投写制御を行う。投影光学系１４０は、投写面（スクリーン等）上に、投影制御部１０３で生成された画像データを投写するものである。
【００２５】
記憶部１２０は、各種データを保存するものであり、ＲＯＭ１２１とＲＡＭ１２２を有している。ＲＯＭ１２１はファームウェアやプロジェクタ設定ファイル等の不揮発性が要求されるファイルを保存する。ＲＡＭ１２２はネットワークで接続されたコンピュータから出力されるキャプチャ画像データ等の不揮発性が要求されないファイルを保存する。
【００２６】
図３及び図４に、本実施形態のプロジェクタシステムの作動手順を示す。また、図５ないし図７にコンピュータにインストールされているネットワーク投影ソフトウェアのユーザインタフェイス画面例を示す。図３及び図４は、概略、以下に述べる１ないし５を実現する処理のシーケンス図である。なお、図示の手順は一実施例に過ぎず、種々の変形実施が可能であることは言うまでもない。
【００２７】
１．ユーザＡが自身のコンピュータ２０ａを用いてネットワーク投影。
２．ユーザＢがリモコン１３２を用いてＩＰアドレスを確認。
３．ユーザＢが自身のコンピュータ２０ｂを用いてネットワーク投影要求。
４．ユーザＡがユーザＢの（割り込み）接続を許可。
５．ユーザＢのコンピュータ２０ｂの画像が投影される。
【００２８】
図３において、ユーザＡが自身のコンピュータ２０ａにインストールされているネットワーク投影ソフトウェア・アプリケーションの実行要求を行うと、ネットワーク投影ソフトウェアは図５に示すようなユーザインタフェイスを表示する。ユーザＡは、当該ユーザインタフェイスに、接続先のプロジェクタ１００のＩＰアドレスを入力する。その後、ユーザインタフェイスの指示に従い、コンピュータ２０ａは、プロジェクタ１００に対して接続要求メッセージを送信する。
【００２９】
プロジェクタ１００は、接続要求メッセージを接続要求部１１１にて受け、コンピュータ２０ａと通信を開始する。そして通信が確立した後、投影を開始する。
【００３０】
プロジェクタ１００は、画像データ取得部１１３にて取得される、コンピュータ２０ａから出力されるキャプチャ画像データを画像処理部１０２に送信する。画像処理部１０２は、画像データ取得部１１３により受信した画像データに対し、予め記憶されている画像処理プログラムに基づいて、所定の画像処理を実行する。その後、画像処理がなされた画像データを投影制御部１０３に送信する。投影制御部１０３は、画像処理部１０２により処理された画像を投影光学系１４０に対応する画像データに変換する。その後、変換された画像データを投影光学系１４０に送信することでプロジェクタ１００からコンピュータ２０ａの画像が投写される。
【００３１】
図４において、ユーザＢがリモコン１３２の「ＩＰアドレス表示ボタン」を押下すると、リモコン１３２から送信されたコマンドを赤外線通信部１０４が受け、プロジェクタ１００は、画面上に自身のＩＰアドレスを表示する（図８）。
【００３２】
ユーザＢが自身のコンピュータ２０ｂにインストールされているネットワーク投影ソフトウェアに、接続先のプロジェクタ１００のＩＰアドレスを入力する。その後、接続要求のユーザインタフェイス画面（不図示）の指示に従い、プロジェクタ１００に対して接続要求メッセージを送信する。
【００３３】
プロジェクタ１００は、接続要求メッセージを接続要求部１１１にて受け、プロジェクタ１００ないしネットワーク投影ソフトウェアが、現在、ネットワーク通信中にあるのか判断する。現在はコンピュータ２０ａと通信中にあると判断した場合は、コンピュータ２０ａに対して接続切り替え可否判断のコマンドを送信する。
【００３４】
コンピュータ２０ａは、プロジェクタ１００からのコマンドを受け、ネットワーク投影ソフトウェアのユーザインタフェイス画面にて、ユーザＡに対して接続切り替え判断を要求するダイアログを表示する。図６に、当該ユーザインタフェイス画面例を示す。
【００３５】
ユーザＡは接続要求者を図６のＵＩ画面にて確認し、接続切り替えを「承認」ボタンを押下する。図７にユーザＡが接続切り替えに承認した場合のユーザインタフェイス画面例を示す。この場合、プロジェクタ１００は切断要求部１１２にて切断メッセージをコンピュータ２０ａに送信し、通信を切断する。そののち、プロジェクタ１００は、コンピュータ２０ｂとの通信を開始する。そして通信が確立した後、投影を開始する。
【００３６】
なお、図４において、「ｌｏｏｐ」にて囲まれた部分は、この後ユーザＣ、ユーザＤ・・・と３人目以降のユーザが接続要求した場合でも、同様のシーケンスが適用できるということである。
【００３７】
図５はユーザが自身のコンピュータとプロジェクタ１００とを通信させるために使用する、ネットワーク投影ソフトウェアのユーザインタフェイス画面である。ＩＰアドレス入力欄に接続したプロジェクタのＩＰアドレスを入力し、［投影要求］ボタンを押下することで、プロジェクタに対してネットワーク投影要求を送信することができる。
【００３８】
図６はネットワーク投影中のプロジェクタ１００に対して、別のユーザが投影要求を送信した際に、現在投影中にあるコンピュータに表示されるダイアログである。投影要求を送信したユーザのＩＰアドレスが表示され、現在投影中のユーザは承認、あるいは拒否を判断し、ボタンを押下する。
【００３９】
図７は承認あるいは拒否ボタンを押下した後に表示されるダイアログである。ＩＰアドレスをメモ付きで保存することができる。次回以降、保存したＩＰアドレスから投影要求が届いた場合、メモを表示させることができる。
【００４０】
図８及び図９は、ユーザがリモコン１３２の「ＩＰアドレス表示ボタン」を押下したときのプロジェクタ１００の挙動である。それぞれの図から分かるように、ＩＰアドレス通知手段は投影面への表示だけでなく、音声出力することも可能である。これらの設定はプロジェクタの基本設定から行えるものとする。なお、ＩＰアドレスの表示位置やサイズ、色、また表示時間はプロジェクタ設定で指定することができるものとする。
【００４１】
なお、図８の表示は、中央制御部１０１がリモコン１３２からアドレス通知要求を受けて、アドレスの通知を投影制御部１０３に処理させることによって実行する。投影制御部１０３は、例えば、アドレスを投影画像に重畳させることによって表示する。
【００４２】
上述の実施形態は、好適な一実施形態であって、種々の変形実施が可能である。例えば、図５においてユーザＡがネットワーク投影ソフトウェアに入力する値はＩＰアドレスに限定されない。ネットワーク投影ソフトウェアによってはＩＰアドレスと紐付けられたプロジェクタ識別番号を入力することで同じ効果を実現できるものもある。
【００４３】
また、ユーザＢがリモコン１３２を用いてプロジェクタ１００にＩＰアドレス表示要求を行う際に、リモコン１３２がプロジェクタ１００と通信する手段（通信方式）は赤外線で無くても良い。例えば、超音波通信や音声入力でも良い。
【００４４】
また、図６において、接続要求者の表示はＩＰアドレスに限定されない。例えば、ＰＣ名でも良い。
また、図４のループや図７のユーザインタフェイス画面の説明においては、プロジェクタ１００とコンピュータ２０ａとのセッションを切断することとしたが、この構成に限定されることはなく、セッションを切断しなくても良い。プロジェクタ１００が許す限り、接続コンピュータは増えても良い。この場合、３台目以降の接続要求は、はじめに接続していたユーザのコンピュータに届く。
【００４５】
また、この場合、コンピュータ２０ａは、接続要求を「承認」する場合、自身の接続を切断するのか否かを問い合わせるダイアログを表示し、接続中のユーザに判断させることが好ましい。
【００４６】
ユーザＡが投影中にユーザＢが接続要求した場合を考える。ここでユーザＡが承認すると、自身の接続を切断するのかを問うダイアログがネットワーク投影ソフトウェア上に表示される。切断しなかった場合、投影画面はユーザＢに譲るが、プロジェクタ操作によってユーザＡの画面を表示することもできる。
【００４７】
また、プロジェクタ１００が複数台のコンピュータとの接続セッションを維持する構成とした場合、プロジェクタ１００は、画面を切り替える手段を備えることが好ましい。
【００４８】
ユーザＡが投影中にユーザＢ、ユーザＣ、ユーザＤが接続要求し、ユーザＡが全て「承認」した場合を考える。この順番で接続要求が行われると、最終的にはユーザＤの画面が表示されている。この状態でネットワーク投影ソフトウェアあるいはプロジェクタを操作することにより、プロジェクタとネットワーク通信中にある各ユーザの画面に逐次切り替えることができる。
【００４９】
上記実施形態のプロジェクタ１００を用いた会議においては、プロジェクタ１００がネットワーク投影中であっても別のユーザがプロジェクタ１００のＩＰアドレスを知ることが可能である。また「現在投影中のユーザの承認を得て」ネットワーク投影を行うことができる。そのため、ネットワーク投影するユーザが変わる度に、現在ネットワーク投影しているユーザのネットワーク接続を遮断することができる。つまり、プロジェクタ１００をネットワーク受付状態にしてから別のユーザがネットワーク接続する必要がなく、投影コンピュータ切替作業の時間を短縮することができため、会議を円滑に進めることができる。
【００５０】
ネットワーク投影状態のプロジェクタに対して別のユーザがネットワーク接続要求を行った場合、現在投影中のユーザが持つコンピュータに、「画面を切り替えて良いのか」の判断をユーザに促す処理を行うので、従来必要であったネットワーク遮断・受付状態への移行・再接続という処理を必要とすることがないため、時間短縮が実現する。
【符号の説明】
【００５１】
１００    プロジェクタ
１０１    中央制御部
１０２    画像処理部
１０３    投影制御部
１０４    赤外線通信部
１１０    通信部
１１１    接続要求部
１１２    切断要求部
１１３    画像データ取得部
１３０    操作部
１３１    操作キー
１３２    リモコン
１４０    投影光学系
【先行技術文献】
【特許文献】
【００５２】
【特許文献１】特開２００７−２６４０７９号公報
【特許文献２】特許５３５３５９１号公報
【図１】
2017009745.tif 000003
【図２】
2017009745.tif 000004
【図３】
2017009745.tif 000005
【図４】
2017009745.tif 000006
【図５】
2017009745.tif 000007
【図６】
2017009745.tif 000008
【図７】
2017009745.tif 000009
【図８】
2017009745.tif 000010
【図９】
2017009745.tif 000011